(57)【要約】【課題】通信端末装置が、通信費用の上昇を抑え、迅速に位置情報及び周辺の地図画像、住所、交通機関の案内等のデータを取得することができる通信システム、通信端末装置及び基地局並びに通信方法を提供する。【解決手段】通信端末装置１００により送受信することのできるサービスエリア内に複数の基地局８１，８２，８３を包含するページングエリア８を設定し、基地局のそれぞれが、ページングエリア内に定められる基準位置８５に対する各々の相対位置の情報を常に発信すると共に、基準位置の情報及びページングエリア内に特有のエリア内情報を保有し、通信端末装置は、ページングエリア内のいずれかの基地局から基準位置の情報及びエリア内情報を取得すると共に、各基地局が発信する相対位置の情報を受信して、各基地局の絶対位置を算出するようにした。【選択図】      図１
2004304237.tif 000002
【特許請求の範囲】
【請求項１】
通信端末装置により送受信することのできるサービスエリア内に複数の基地局を包含するページングエリアを設定し、
前記基地局のそれぞれが、前記ページングエリア内に定められる基準位置に対する各々の相対位置の情報を常に発信すると共に、基準位置の情報及びページングエリア内に特有のエリア内情報を保有し、
前記通信端末装置は、前記ページングエリア内のいずれかの前記基地局から前記基準位置の情報及び前記エリア内情報を取得すると共に、各基地局が発信する前記相対位置の情報を受信して、各基地局の絶対位置を算出するようにしたことを特徴とする通信システム。
【請求項２】
前記通信端末装置は、各基地局が発信する前記相対位置の情報を受信する際に、その電波強度を計測して自己の位置を算出することを特徴とする請求項１に記載の通信システム。
【請求項３】
前記相対位置の情報についての前記基地局からの発信が、一斉報知チャネルを用いて行なわれるようにしたことを特徴とする請求項１又は請求項２に記載の通信システム。
【請求項４】
前記ページングエリアが３基以上の基地局を包含する請求項１ないし請求項３のいずれかに記載の通信システム。
【請求項５】
通信端末装置により送受信することのできるサービスエリア内に設定されるページングエリア内に複数配置される基地局であって、
前記ページングエリア内に定められる基準位置に対する自己の相対位置の情報を常に発信すると共に、
前記基準位置の情報及び前記ページングエリア内に特有のエリア内情報を保有して、これらを前記通信端末装置に送信することを特徴とする基地局。
【請求項６】
現在いずれのページングエリア内にいるかを通信網の位置登録センターに通知する際に、ページングエリア内に複数配置される基地局のうちのいずれかからこのページングエリア内に定められる基準位置の情報及びページングエリア内に特有のエリア内情報を取得すると共に、
各基地局から一斉報知チャネルで発信される、前記基準位置に対するそれぞれの相対位置の情報を受信しながらその電波強度を計測して、各基地局の絶対位置及び基準位置に対する自己の相対位置を算出するようにしたことを特徴とする通信端末装置。
【請求項７】
文字及び画像を表示することができる表示部を備えると共に、
前記エリア内情報としてページングエリア内の地図画像の情報を取得して、
前記自己の相対位置を前記地図画像上に指し示して前記表示部に表示することができるようにした請求項６に記載の通信端末装置。
【請求項８】
通信端末装置が、
送受信することのできるサービスエリア内に設定されるページングエリア内に配置される複数の基地局のいずれかから、このページングエリア内に定められる基準位置の情報及びページングエリア内に特有のエリア内情報を取得するステップと、
前記複数の基地局のそれぞれが常に発信する前記基準位置に対する各々の相対位置の情報を受信するステップと
を有することを特徴とする通信方法。
【発明の詳細な説明】
【０００１】
【発明の属する技術分野】
本発明は、通信端末装置の所在する位置に基づいて、その位置の周辺についての特有の情報を、この通信端末装置に自動的に送信することができる通信システム、この通信システムに用いられる通信端末装置及び基地局、並びにその通信方法に関するものである。
【０００２】
【従来の技術】
携帯電話機やＰＨＳ（Ｐｅｒｓｏｎａｌ  Ｈａｎｄｙ  ｐｈｏｎｅ  Ｓｙｓｔｅｍ）等の通信端末装置は、基地局が配置されているサービスエリア内で無線の通信を行なうことができる。サービスエリアは、複数のページングエリアに区画され、通信端末装置の所在は、このページングエリアごとに、この通信網の位置登録センターにより管理されるようになっている。
【０００３】
そして、これらのページングエリアは、複数のセルと呼ばれる領域で構成されるようになっている。セル内には、１基の基地局が配置されており、通信端末機は、セル内において、この基地局と送受信するようになっている。
【０００４】
これらの基地局と通信端末機の送受信は、周辺の他の基地局と互いに混信しないようにするため、互いに異なる周波数を用いるように設定されている。また、これらの基地局からは、常に一斉報知チャネルを用いた電波の発信が行われている。
【０００５】
例えば、図４に示すように、サービスエリア内に、隣接するページングエリア２とページングエリア４が区画されているものとする。ページングエリア２内には、基地局２１，２２，２３，２４，２５が配置されるようになっており、ページングエリア４内には、基地局４１，４２，４３，４４，４５が配置されるようになっている。
【０００６】
そして、通信端末装置５を所持するユーザーが、矢印Ａのような経路で、ページングエリア２からページングエリア４に移動しているとする。通信端末装置５は、ユーザーが通話等をしていないときにでも、常に基地局から発信される一斉報知チャネルを用いた電波を検出している。
【０００７】
通信端末装置５は、移動前においては、最も電波の状態が良い基地局２４のセル内にいることを認識している。通信端末装置５は、ページングエリア２からページングエリア４に移動すると、最も電波状況の良い基地局４２のセル内にいることを認識すると共に、ページングエリア２からページングエリア４に移動したことを認識する。そして通信端末装置５は、この基地局４２を介して、ページングエリア４にいる旨を、通信網の位置登録センターに通知する。
【０００８】
位置登録センターでは、通信端末装置５からの通知を受信すると、通信端末装置５の所在がページングエリア４になったものとして、通信端末装置５に関して保持している位置登録の内容を更新するようになっている。
【０００９】
そして、この通信端末装置５に対して、他の通信端末装置から電話等がされたときには、ページングエリア４内の全部の基地局４１，４２，４３，４４，４５から一斉呼び出し信号が発せられるようになっている。したがって、通信端末装置５は、ページングエリア２，４間を移動したときであっても、電話等の通信を受信することができる。
【００１０】
一方、携帯電話機等の通信端末装置には、位置情報システムの機能を利用することにより、自己の所在する位置を割り出せるようにしたものが、すでに実用化されている。位置情報システムとしては、通信端末装置を捕捉することができる、複数の基地局の位置に基いて、この通信端末装置の位置を割り出すようにしたものがあり、また、複数の衛星から発射された電波の到達時間差に基いて、通信端末装置の位置を割り出すようにしたＧＰＳ（Ｇｌｏｂａｌ  Ｐｏｓｉｔｉｏｎｉｎｇ  Ｓｙｓｔｅｍ）がある。
【００１１】
そして、このような通信端末装置には、位置情報システムにより割り出した位置情報を活用するために、この位置情報を通信網を介してサービスセンター等に送信することにより、この位置情報に対応する情報を、サービスセンター等のデータベースから返信させるようにしたものがある（例えば、特許文献１参照）。
【００１２】
【特許文献１】
特開２００３−９２３８号公報
【００１３】
【発明が解決しようとする課題】
しかしながら、位置情報に対応する情報を、通信網を介してサービスセンター等のデータベースから読み込むようにする場合には、そのたびに通信費用が上昇してしまうという問題があった。
【００１４】
また、このような通信端末装置は、位置情報システムにより割り出した位置情報を活用するために、その位置の周辺の地図画像、住所、交通機関の案内等のデータを読み込む際には、データベースとの通信回線を確立するのに一定の時間を要するため、自動車等による移動時には、現在位置に対する周辺地図等のデータの読み込みを、移動速度に追従させることができないという問題があった。
【００１５】
そこで本発明は、上記問題点に鑑みて、通信端末装置が、通信費用の上昇を抑え、迅速に位置情報及び周辺の地図画像、住所、交通機関の案内等のデータを取得することができる通信システム、通信端末装置及び基地局並びに通信方法を提供することを課題とするものである。
【００１６】
【課題を解決するための手段】
上記課題を解決するために、本発明による通信システムは、
通信端末装置により送受信することのできるサービスエリア内に複数の基地局を包含するページングエリアを設定し、
前記基地局のそれぞれが、前記ページングエリア内に定められる基準位置に対する各々の相対位置の情報を常に発信すると共に、基準位置の情報及びページングエリア内に特有のエリア内情報を保有し、
前記通信端末装置が、ページングエリア間を移動するごとに現在自己が所在するページングエリアを通信網の位置登録センターに通知する際に、このページングエリア内のいずれかの前記基地局から前記基準位置の情報及び前記エリア内情報を取得すると共に、各基地局が発信する前記相対位置の情報を受信しながらその電波強度を計測して、各基地局の絶対位置及び基準位置に対する自己の相対位置を算出するようにしたことを特徴とするものである。
【００１７】
このような通信システムによれば、位置情報に対応する情報を、通信網を介してサービスセンター等のデータベースから読み込むようにはせず、現在自己が所在するページングエリア内の基地局から基準位置の情報及びエリア内情報を取得するようにしたので、通信端末装置は、通信費用の上昇を抑え、迅速に自己の位置情報及び周辺の地図画像、住所、交通機関の案内等のデータを取得することができる。
【００１８】
【発明の実施の形態】
図１ないし図３は、本発明による通信システム、通信端末装置及び基地局並びに通信方法について説明するために参照する図である。
【００１９】
図１に示すように、ページングエリア６は、３基の基地局６１，６２，６３が包含されるように区画（設定）されている。また、基地局６１のセルは、細分エリア６１１と細分エリア６１２に区画されるように設定されている。同様に、基地局６２のセルは、細分エリア６２１と細分エリア６２２に区画され、基地局６３のセルは、細分エリア６３１と細分エリア６３２に区画される。また、ページングエリア６の中央の地点には、このページングエリア６に関する基準位置６５を設定する。
【００２０】
基地局６１，６２，６３のそれぞれには、記憶装置が備えられて、この基準位置６５の緯度と経度の情報が記憶されている。また、基地局６１，６２，６３のそれぞれは、この基準位置６５に対する自己の相対位置を、基準位置６５の緯度と経度に対する差分として記憶するようになっている。この相対位置の情報は、それぞれの基地局６１，６２，６３から、常に一斉報知チャネルを用いて発信されるようになっている。
【００２１】
また、各基地局６１，６２，６３の記憶装置には、ページングエリア６に特有のエリア内情報として、ページングエリア６内の住所の情報、地図画像の情報、飲食店等の情報、または交通機関の案内や観光案内等の情報が、種類ごとに分類されて記憶されるようになっている。そして、これらの情報の内容には、ページングエリア６内の細分エリア６１１，６１２，６２１，６２２，６３１，６３２のいずれの情報であるかについての管理情報が含まれるようになっている。
【００２２】
そして、このようなページングエリア６と同様に、３基の基地局８１，８２，８３が包含されるページングエリア８が、ページングエリア６に隣接して区画（設定）されているものとする。
【００２３】
一方、本実施の形態に係る通信システムに対応する携帯電話機１００（通信端末装置に相当）は、操作部及びＬＣＤ（液晶ディスプレイ）等の表示部を備えるものである。
【００２４】
そして、この携帯電話機１００は、ページングエリア６（ページングエリア８）内の任意の地点において、３基の基地局６１，６２，６３（基地局８１，８２，８３）のそれぞれから、一斉報知チャネルにより発信される電波を受信できるようになっている。携帯電話機１００は、このようなページングエリア６とページングエリア８の間を移動する場合には、以下のような動作をするようになっている。
【００２５】
図１に示すように、携帯電話機１００が、矢印Ｂの経路で、ページングエリア６内からページングエリア８内に移動したとする。携帯電話機１００は、ページングエリア８内に入ると、基地局８１が無線による送受信に最も適していると認識する。
【００２６】
図２に示すように、携帯電話機１００は、基地局８１との間で無線チャネルを確立した後、ページングエリア８内に移動した旨を位置登録センターに通知するための送信をする。
【００２７】
次に、携帯電話機１００は、ページングエリア８に関する基準位置８５の情報及びエリア内情報の取得要求の送信をする。エリア内情報の種類は、ユーザーによって、予め指定しておくことができる。基地局８１は、携帯電話機１００からの取得要求に応じて、記憶装置に保有しているページングエリアの基準位置８５の情報（エリア内情報データ１）及びエリア内情報（エリア内情報データ２）を返信する。
【００２８】
携帯電話機１００は、基準位置８５の情報及びエリア内情報を受信すると、これらの情報を内蔵メモリに記憶する。これらの情報は、携帯電話機１００が、ページングエリア８の外側に出て上書きされない限り、内蔵メモリに保持され続ける。
【００２９】
携帯電話機１００は、基準位置８５の情報及びエリア内情報の受信を終了すると、終了確認の信号を基地局８１に送信する。基地局８１は、これを受信すると、位置登録センターからの応答を携帯電話機１００に送信して、無線チャネルを解放する。
【００３０】
次に、図１に示すように、携帯電話機１００が、ページングエリア８内を、矢印Ｃの経路で、細分エリア８１２から細分エリア８３１に移動するときの携帯電話機１００の動作について、図３に基づいて説明する。前記に説明したように、基地局８１，８２，８３は、一斉報知チャネルを用いて、基準位置８５に対するそれぞれの相対位置の情報を、常に発信している。
【００３１】
携帯電話機１００は、ページングエリア８内において、基地局８１，８２，８３の相対位置の情報の発信を、これらの電波の強度（レベル）を計測しながら、常に受信するようにしている。また、携帯電話機１００は、すでに基準位置８５の情報を取得して、これを内蔵メモリに記憶している。
【００３２】
したがって、携帯電話機１００は、基地局８１，８２，８３の基準位置８５に対する相対位置の情報、これらの情報を受信したときのそれぞれの電波の強度、及び基準位置８５の情報に基づいて、各基地局８１，８２，８３の位置を緯度及び経度による絶対位置として算出することができ、また、基準位置８５に対する自己の相対位置を算出することができる。
【００３３】
携帯電話機１００は、移動したときには、自動的に基準位置に対する自己の相対位置を算出するようになっている。移動したかどうかの判断は、最も電波の状態の良い基地局から受信する電波の強度が変化したかどうかに基づいて判断するようになっている。
【００３４】
したがって、細分エリア８１２内を移動しているときには、図３に示すように、基地局８１から受信する電波の強度の変化により移動していることを認識して、基準位置８５に対する自己の相対位置を算出することができる。また、図示しないが、同様に細分エリア８３１内を移動しているときには、基地局８３から受信する電波の強度の変化により移動していることを認識して、基準位置８５に対する自己の相対位置を算出することができる。
【００３５】
この携帯電話機１００は、すでに取得した地図画像のデータを表示部に表示すると共に、算出した自己の位置をこの地図画像上に指し示すことにより、ユーザーが自分の現在位置を確認することができる。
【００３６】
また、携帯電話機１００が、ページングエリア８に入ったときに取得して、内蔵メモリに記憶させたエリア内情報には、細分エリア８１１，８１２，８２１，８２２，８３１，８３２のいずれの情報であるかについての管理情報が含まれている。
【００３７】
したがって、細分エリア８１２内を移動しているときには、内蔵メモリに記憶されているページングエリア８のエリア内情報のうち、細分エリア８１２に関する情報だけを自動的に抽出して、これらを携帯電話機１００が備える表示部に表示させることができる。
【００３８】
また、細分エリア８３１内を移動しているときには、細分エリア８３１に関する情報だけを自動的に抽出して、これらを携帯電話機１００が備える表示部に表示させることができることはいうまでもない。
【００３９】
また、本実施の形態についての説明では、図１に示されている矢印Ｃの移動に基づいて、細分エリア８１２，８３１のエリア内情報を表示する場合について説明したが、例えば、細分エリア８１２についてのエリア内情報は、前記矢印Ｂの移動により、ページングエリア６からページングエリア８の細分エリア８１２に入ったときから、表示することができるようになっていることはいうまでもない。
【００４０】
このように、携帯電話機１００によれば、ページングエリア８に関する基準位置８５の情報及びエリア内情報を、通信網を介してデータベース等から読み込む必要がなく、基地局８１から通信費用をあまり上昇させずに、迅速に取得することができる。
【００４１】
また、携帯電話機１００のユーザーは、自分がどこにいるかの詳細を意識しなくても、現在位置に関する各種の情報を取得することができる。
【００４２】
なお、本実施の形態においては、本発明をページングエリア６及びページングエリア８に適用した場合について説明したが、サービスエリア内の全てのページングエリアに適用するようにしてもよい。また、特定のページングエリアにのみ適用するようにしてもよい。
【００４３】
また、本発明を適用するページングエリア内の基地局の数は、３基に限られず、３基以上であればいくつでもよい。
【００４４】
また、本実施の形態における細分エリアは、各基地局のセルを細分するようにしたが、細分エリアの区画の方法は、このような方法に限られず、ページングエリア内であれば、どのように設定してもよい。また、基準位置は、ページングエリアの中央の地点に限らず、ページングエリア内であれば、任意の地点に設定することができる。
【００４５】
また、本実施の形態の説明においては、携帯電話機の電源を入れた状態で、ページングエリア間を移動する場合について説明したが、電源を切った状態でページングエリア間を移動し、異なるページングエリアで電源を入れた場合にも、最も電波の状態の良い基地局を介して、位置登録センターに現在自己が所在するページングエリアを通知すると共に、この基地局から現在いるページングエリアの基準位置とエリア内情報を取得することができることはいうまでもない。
【００４６】
また、本実施の形態においては、本発明を携帯電話機に基づいて説明したが、本発明をＰＨＳや通信機能を有するＰＤＡ（Ｐｅｒｓｏｎａｌ  Ｄｉｇｉｔａｌ  Ａｓｓｉｓｔａｎｔ）等の他の通信端末装置にも適用することができることはいうまでもない。
【００４７】
【発明の効果】
以上説明したように、本発明によれば、通信端末装置が、位置情報に対応する情報を、通信網を介してサービスセンター等のデータベースから読み込むようにはせず、現在自己が所在するページングエリア内の基地局から基準位置の情報及びエリア内情報を取得するようにしたので、通信費用の上昇を抑え、迅速に自己の位置情報及び周辺の地図画像、住所、交通機関の案内等のデータを取得することができる。
【図面の簡単な説明】
【図１】本発明の一実施の形態に係るページングエリア６，８及び携帯電話機１００の移動経路を示す概念図である。
【図２】図１における携帯電話機１００が、基準位置及びエリア内情報を取得する手順を示すタイムチャート図である。
【図３】図１における携帯電話機１００が、ページングエリア８内の移動時に現在位置を算出するときの手順を示すタイムチャート図である。
【図４】従来のページングエリア２，４及び携帯電話機５を示す概念図である。
【符号の説明】
２，４  ページングエリア
５  通信端末装置
６，８  ページングエリア
２１，２２，２３，２４，２５，４１，４２，４３，４４，４５  基地局
６１，６２，６３，８１，８２，８３  基地局
１００  携帯電話機
６１１，６１２，６２１，６２２，６３１，６３２，８１１，８１２，８２１，８２２，８３１，８３２  細分エリア
【図１】
2004304237.tif 000003
【図２】
2004304237.tif 000004
【図３】
2004304237.tif 000005
【図４】
2004304237.tif 000006